(57)【要約】【課題】  簡素な制御回路にてアシストモードを変更可能にし、正当な使用者の本人確認機能と開錠および電動アシストユニットの起動とを連携させて、電動アシストユニットの再起動とを連携させつつ、盗難防止機能も充実させた電動アシスト自転車を提供する。【解決手段】  錠装置を開錠するとともに電動アシストユニット３０が起動される電動アシスト自転車において、複数の携帯可能な無線送信器があり、前記無線送信器の開錠信号（ＩＤ信号）で１つの錠装置が開錠できるとともに、複数の前記無線送信器１０Ａ、１０Ｂ・・１０ｎ毎に異なったアシストモード１、２・・ｎが設定できるように構成したことにより、速度検出手段や人体指標検出手段等のような多くの入力センサを必要とせず、複数の正規の開錠信号ＩＤ１、ＩＤ２・・ＩＤｎを有する携帯可能な無線送信器を所持するだけで簡便に補助動力装置のアシストモードが選定できて低コストである。【選択図】  図１
2008260400.tif 000002
【特許請求の範囲】
【請求項１】
錠装置を開錠するとともに電動アシストユニットが起動される電動アシスト自転車において、複数の携帯可能な無線送信器があり、前記無線送信器の開錠信号（ＩＤ信号）で１つの錠装置が開錠できるとともに、複数の前記無線送信器毎に異なったアシストモードが設定できるように構成したことを特徴とする電動アシスト自転車。
【請求項２】
前記電動アシスト自転車用において、駆動トルクが検出されずに所定時間経過し自動停止機構によって前記電動アシストユニットが自動停止した後、再度駆動トルクが検出され、前記無線送信器が常時または常時間欠的に送信するＩＤ信号を受信すると、前記電動アシストユニットが再起動するように構成したことを特徴とする請求項１に記載の電動アシスト自転車。
【請求項３】
前記錠装置は、前記正規のＩＤ信号の受信下で作動できるように構成したことを特徴とする請求項１または２に記載の電動アシスト自転車。
【請求項４】
自動停止後に再度駆動トルクを検出すると、前記ＩＤ信号の受信動作を行い、受信したＩＤ信号が正規であるとアシスト起動信号を発信することにより、前記電動アシストユニットが再起動するように構成したことを特徴とする請求項２または３に記載の電動アシスト自転車。
【請求項５】
前記ＩＤ信号が不正であるか、または正規のＩＤ信号を発信する前記無線送信器の信号が受信範囲外にあって受信できない場合には、前記電動アシストユニットが停止中であれば起動不能とし、起動中であれば停止させるように構成したことを特徴とする請求項２から４のいずれかに記載の電動アシスト自転車。
【請求項６】
前記受信動作は、一定間隔で行われるように構成したことを特徴とする請求項４に記載の電動アシスト自転車。
【請求項７】
前記アシスト起動信号はパルス信号であることを特徴とする請求項４に記載の電動アシスト自転車。
【請求項８】
前記電動アシストユニットが起動した後、前記アシスト起動信号を受信するたびに電動アシストユニットの自動停止用タイマーがリセットされるように構成したことを特徴とする請求項４に記載の電動アシスト自転車。
【請求項９】
前記ＩＤ信号の受信を行う受信装置、前記アシスト起動信号を発信する発信装置は前記錠装置と一体に構成されていることを特徴とする請求項４に記載の電動アシスト自転車。
【発明の詳細な説明】
【技術分野】
【０００１】
本発明は、正規の開錠信号によって錠装置を開錠するとともに電動アシストユニットが起動される電動アシスト自転車に関する。
【背景技術】
【０００２】
電動アシストユニット等を備える補助動力付自転車は省エネの観点から広く普及してきている。このような電動アシスト自転車は、補助動力である電動モータ等を駆動するための補助動力電源を備えている。そして、該補助動力電源の消費電力節約のために、通常は補助動力停止スイッチを切り忘れた場合でも一定時間が経過すると補助動力が自動的に停止する節電機能が備わっている。一方、近年では使用者に応じて（体調、老若男女等）補助動力のアシストモード（アシスト率等）が調整可能なものも提案されてきている（例えば下記特許文献１〜３参照）。さらには、盗難防止のための錠装置と連携させて、電動アシストユニット等の補助動力の起動が行われるように構成したものも提案されている（例えば下記特許文献３〜５参照）。
【特許文献１】特開平９−２０７８６４号公報（公報要約書参照）
【特許文献２】特開平６−１０７２６７号公報（公報要約書参照）
【特許文献３】特開平１１−１７１０８１号公報（公報要約書参照）
【特許文献４】特開平１０−１６７１３７号公報（公報要約書参照）
【特許文献５】特開２００１−２３３２６２号公報（公報要約書参照）
【特許文献６】特開２００１−１７１５９２号公報（公報要約書参照）
【発明の開示】
【発明が解決しようとする課題】
【０００３】
前記特許文献１に開示された補助動力付き車両の補助動力制御装置を図７に示して簡単に説明する。ペダル踏力を駆動輪に供給する入力駆動系と、バッテリー駆動モータ４４からの補助動力を駆動輪に供給する電力駆動系と、クランク軸へのペダル踏力および車速に応じて前記補助動力を可変制御する補助動力制御手段として機能するＣＰＵ７０とを備えた補助動力制御装置５４において、前記補助動力制御手段７０が、予め設定された固定情報を外部から読み込み、該固定情報に基づいて前記補助動力を可変制御するとともに、走行により発生する流動情報を外部に出力するものである。
【０００４】
前記特許文献２に開示された電動モータ付き自転車を図８に示して簡単に説明する。踏力を検出する踏力検出手段１７２と、車速を検出する車速検出手段１８４と、運転者の体力・疲労度を示す人体指標を求める人体指標検出手段１８８と、踏力に対する電動モータ１２２の駆動力の比を人体指標の増減に対応して増減させるように電動モータ１２２の駆動力を制御するコントローラ１８２とを備えるものである。人体指標は心拍数、血圧、呼吸回数、体温等運転者の体力や体調あるいは疲労度を示す指標を用いる。
【０００５】
前記特許文献３に開示された電動補助動力自転車を図９に示して簡単に説明する。踏力検出器２１１および駆動制御回路２１３との間に介挿した減衰率を変更可能な可変型減衰器２１２と、この可変型減衰器２１２の減衰率を選択する減衰率選択部２１４とを備え、踏力検出器２１１で検出した踏力検出信号Ｖｔを可変型減衰器２１２にて、減衰率選択部２１４で設定した減衰率で減衰させ、この減衰踏力信号Ｖａを駆動制御回路２１３に供給することにより、電動モータ２１７で乗り手の年齢、体力、走行目的に応じた所望のアシスト比に応じたアシスト力を発生させるものである。
【０００６】
これらの従来の電動アシスト自転車のアシスト比調整装置では、使用者の年齢、体力、走行目的に応じた所望のアシスト力を発生できるようになった。しかしながら、走行中に疲労したような場合を除いて、単独の使用者が走行中にアシスト比の変更を必要とする状況は殆どなく、不要な入力データの検出部を必要とする等、制御回路全体のコストアップを引き起こした。
【０００７】
一方、盗難防止のための錠装置と連携させた補助動力電源投入技術について、前記特許文献４に開示された電動二・三輪車を図１０に示して簡単に説明する。車体側のキー穴にキー１３０を挿入して電動機１４０による駆動で走行する電動二・三輪車において、キー１３０に、車体側から送信される電波を受けて誘起した起電力によりメモリ１３４に書き込まれた固有識別コードを別の電波で発信する応答手段１３１を備えるとともに、車体側に、応答手段１３１へ一定の時間間隔で確認電波を発信する発信手段１６１と、応答手段１３１からの電波を受信する受信手段１６２と、この受信手段１６２が受信した電波を受けてその固有識別コードが正しいかどうかを照合するコード照合手段１６３と、この照合に基づき固有識別コードが正しい場合には電動機１４０を駆動開始可能にし、異なる場合には警告を発するか停止する電動機制御手段１６０とを備えるものでる。
【０００８】
また、前記特許文献５に開示された電動アシスト自転車用電子錠および走行データ記録装置を図１１に示して簡単に説明する。解錠時にはコイルバネ２２５によって開位置に移動し、施錠時には手動でコイルばね２２５の張力に抗して閉位置に移動して閂ストッパ２３０で係止されて車輪の回転を拘束する閂２２３で成る錠本体と、前記途中位置に挿入されると起動してメモリに記憶した暗号を発信する発信手段を備えたＩＣカード鍵２５０と、受信手段で受信した暗号を自身のメモリに記憶した番号と照合し、番号が一致すればカードストッパ２４４を解くとともに、アシスト駆動装置の電源回路を閉じる制御装置とより成り、前記カードストッパ２４４が解かれたときには前記ＩＣカード鍵２５０は最終位置まで押されて前記閂ストッパ２２３を開くとともに、ガードグリッパ２４０で保持されるように構成したものである。
【０００９】
さらに、前記特許文献６に開示された電動補助自転車用のロック装置を図１２に示して簡単に説明する。シートポスト３２３とバッテリ３０４との間に設けたプッシュロッド３４５を押し下げることにより、その先端に配置されたロックレバーをクランク軸３０１上のギヤに噛合させる。駆動スプロケット３１３はリヤスプロケットとリジッドに取り付けられていて、クランク軸上のギヤをロックすることにより後輪ＷＲはロックされる。プッシュロッドの側面に設けられたカム面はバッテリ用のフック３５０に当接していて、車輪のロックと同時にフック３５０をバッテリ３０４の凹部に係合させることができる。プッシュロッド３４５を持ち上げてロック解除するため、リモコン操作ができるソレノイド３４２が設けられているものである。
【００１０】
前述したような従来の電動アシスト自転車にあって、前記特許文献４に開示された図１０の第４従来例のものでは、車体から電波が発信され、それを受けてキー１３０から識別コードを発信して、そのコードが車体側で照合されて適正と判断されると電動機１４０を駆動開始可能となっていることから、キーの不正複製などによる不正使用者の補助動力の使用を許可しない本人確認装置が提供されることとなった。また、前記特許文献５に開示された図１１の第５従来例のものでは、ＩＣカード鍵２５０をサークル錠に挿入動作中にて暗号が認証されると、挿入中の途中ストッパが解除されて奥まで差し込むことで錠を開錠でき、また、認証によりアシスト駆動装置のスイッチを投入することができるので、駐輪中の悪戯や不正使用者によるアシスト駆動装置の使用が不可能となった。さらに、前記特許文献６に開示された図１２の第６従来例のものでは、電動ユニット内の回転体（クランク軸３０１上のギヤ）に噛合させてロックさせ、そのロック装置をリモコン操作にて解除し、この解除指令により、電動ユニットの電源投入も行われるので、電動補助ユニット内の回転体をロックして車輪のサイズに関わりなく車体を施錠でき、部品の共通化や組立の容易さが増し、同時にバッテリの施錠も行えて電動ユニットの不正な使用も防止できることとなった。
【００１１】
しかしながら、前述の従来の電動アシスト自転車では、確かに不正な使用者を排除する本人確認のもとでの施錠装置の開錠および電動アシスト装置等の補助動力の起動・使用が可能となったものの、ＩＣカード鍵を使用するものでは耐久性や操作性に問題がある他、前述したように、補助動力電源の節電機能としての補助動力自動停止装置を備えたものでは、走行中に一時停止時間が長引いた際等に補助動力が自動停止し、再スタートに支障を来す虞れが生じた。さらに、一時停止中に車両から離れた隙に盗難に遭遇した場合には、補助動力が起動したまま乗り逃げされる可能性もあった。
【００１２】
そこで本発明は、前記従来の電動アシスト自転車の諸課題を解決して、簡素な制御回路にてもアシストモードを変更可能にするとともに、正当な使用者の本人確認機能と開錠および電動アシストユニットの起動とを連携させて、走行中の一時停止時間が長引いても、本人確認機能と電動アシストユニットの起動とを連携させつつ、盗難防止機能も充実させた電動アシスト自転車を提供することを目的とする。
【課題を解決するための手段】
【００１３】
このため本発明は、錠装置を開錠するとともに電動アシストユニットが起動される電動アシスト自転車において、複数の携帯可能な無線送信器があり、前記無線送信器の開錠信号（ＩＤ信号）で１つの錠装置が開錠できるとともに、複数の前記無線送信器毎に異なったアシストモードが設定できるように構成したことを特徴とする。また本発明は、前記電動アシスト自転車用において、駆動トルクが検出されずに所定時間経過し自動停止機構によって前記電動アシストユニットが自動停止した後、再度駆動トルクが検出され、前記無線送信器が常時または常時間欠的に送信するＩＤ信号を受信すると、前記電動アシストユニットが再起動するように構成したことを特徴とする。また本発明は、前記錠装置は、前記正規のＩＤ信号の受信下で作動できるように構成したことを特徴とする。また本発明は、自動停止後に再度駆動トルクを検出すると、前記ＩＤ信号の受信動作を行い、受信したＩＤ信号が正規であるとアシスト起動信号を発信することにより、前記電動アシストユニットが再起動するように構成したことを特徴とする。また本発明は、前記ＩＤ信号が不正であるか、または正規のＩＤ信号を発信する前記無線送信器の信号が受信範囲外にあって受信できない場合には、前記電動アシストユニットが停止中であれば起動不能とし、起動中であれば停止させるように構成したことを特徴とする。また本発明は、前記受信動作は、一定間隔で行われるように構成したことを特徴とする。また本発明は、前記アシスト起動信号はパルス信号であることを特徴とする。また本発明は、前記電動アシストユニットが起動した後、前記アシスト起動信号を受信するたびに電動アシストユニットの自動停止用タイマーがリセットされるように構成したことを特徴とする。また本発明は、前記ＩＤ信号の受信を行う受信装置、前記アシスト起動信号を発信する発信装置は前記錠装置と一体に構成されていることを特徴とするもので、これらを課題解決のための手段とする。
【発明の効果】
【００１４】
本発明によれば、錠装置を開錠するとともに電動アシストユニットが起動される電動アシスト自転車において、複数の携帯可能な無線送信器があり、前記無線送信器の開錠信号（ＩＤ信号）で１つの錠装置が開錠できるとともに、複数の前記無線送信器毎に異なったアシストモードが設定できるように構成したことにより、速度検出手段や人体指標検出手段等のような多くの入力センサを必要とせず、複数の正規の開錠信号を有する携帯可能な無線送信器（例えば携帯キー）を所持するだけで簡便に補助動力装置のアシストモードが選定できて低コストである。
【００１５】
また、前記電動アシスト自転車用において、駆動トルクが検出されずに所定時間経過し自動停止機構によって前記電動アシストユニットが自動停止した後、再度駆動トルクが検出され、前記無線送信器が常時または常時間欠的に送信するＩＤ信号を受信すると、前記電動アシストユニットが再起動するように構成した場合は、走行中に踏切等で所定時間の一時停止があって電動アシストユニットが自動停止しても、正規の開錠信号を発信する無線送信器（携帯キー等）を所持していれば、ペダルを踏み込むだけで電動アシストユニットが再起動されるので、面倒な電動アシストユニットの起動動作を伴うことなく簡便かつ軽快に再発進することができる。
【００１６】
また、前記錠装置は、前記正規のＩＤ信号の受信下で作動できるように構成した場合は、無線送信器（携帯キ−等）から送信されるＩＤ信号の受信下ですなわち正当な本人確認のもとで錠装置を開錠して電動アシストユニットの起動を行うことが可能となる。
【００１７】
さらに、自動停止後に再度駆動トルクを検出すると、前記ＩＤ信号の受信動作を行い、受信したＩＤ信号が正規であるとアシスト起動信号を発信することにより、前記電動アシストユニットが再起動するように構成した場合は、電動アシストユニットが自動停止した後に再発進する際には、受信動作によって前記錠装置におけるＩＤ信号の再確認がなされるので、走行中は常時、正当な使用者による電動アシストユニットの起動確保が可能となるのはもとより、一時停止中に不正使用者が自転車を乗り逃げしようとしても、ＩＤ信号の再確認が不能となって電動アシスト自転車の不正使用が防止される。
【００１８】
さらにまた、前記ＩＤ信号が不正であるか、または正規のＩＤ信号を発信する前記無線送信器の信号が受信範囲外にあって受信できない場合には、前記電動アシストユニットが停止中であれば起動不能とし、起動中であれば停止させるように構成したことにより、不正なＩＤ信号を発信する無線送信器（携帯キー等）を持参する不正使用者による乗り逃  げや、正当なＩＤ信号を発信する無線送信器（携帯キー等）を持参する使用者から自転車を略奪して遠ざかった時点で、電動アシストユニットを起動することは不可能となり、不正使用が防止される。また、前記受信動作は、一定間隔で行われるように構成した場合は、常時受信による電力浪費が抑制されて節電となる。
【００１９】
さらに、前記アシスト起動信号はパルス信号である場合は、常時送信による電力浪費が抑制されて節電となる。さらにまた、前記電動アシストユニットが起動した後、前記アシスト起動信号を受信するたびに電動アシストユニットの自動停止用タイマーがリセットされるように構成した場合は、正当な使用者が自転車から離れた駐輪状態はもとより、不正使用者が乗り逃げして正規のＩＤ信号が自転車側で確認されない状態が継続すると電動アシストユニットが停止するので、盗難防止機能が有効に発揮される。
【００２０】
さらに、前記ＩＤ信号の受信を行う受信装置、前記アシスト起動信号を発信する発信装置は前記錠装置と一体に構成されている場合は、錠装置内に各構成を一体的に配置できるため、製品コスト、組付け工数、省スペース化を実現できる。
【発明を実施するための最良の形態】
【００２１】
以下本発明の実施例を図面に基づいて説明する。図１〜図３は本発明の電動アシスト自転車の第１実施例を示すもので、図１（Ａ）は電動アシスト自転車のブロック構成図、図１（Ｂ）は本発明の電動アシスト自転車の全体側面図、図２は錠装置の全体断面図、図３は本発明の電動アシスト自転車の制御フロー図、図４（Ａ）は本発明の電動アシスト自転車の第２実施例を示すブロック構成図、図４（Ｂ）は第２実施例の制御フロー図の一部、図５は本発明の電動アシスト自転車の第３実施例を示すブロック構成図、図６は本発明の電動アシスト自転車の第４実施例を示す受信要求を伴う再スタート制御フローを含む制御フロー図である。
【実施例１】
【００２２】
以下に本発明の電動アシスト自転車の実施例を詳述する。本発明の電動アシスト自転車の基本的な構成は、図１に示すように、正規の開錠信号ＩＤｎによって錠装置２０を開錠するとともにアシスト起動信号を発信して電動アシストユニット３０が起動される電動アシスト自転車において、複数の携帯可能な無線送信器として携帯キー１０Ａ、１０Ｂ・・１０ｎがあり、前記携帯キー１０ｎの各開錠信号ＩＤ１、ＩＤ２・・ＩＤｎで１つの錠装置２０が開錠できるとともに、複数の前記携帯キー毎に異なったアシストモード１、２・・ｎが設定できるように構成したことを特徴とする。
【００２３】
図１（Ｂ）に示すように、自転車の略中央下部のペダルクランク部に電動アシストユニット３０が配設される。電動アシストユニット３０は、ペダルクランク軸に一体に固定された駆動スプロケットと、同様にペダルクランク軸に固定された駆動ギヤと、該駆動ギヤを減速ギヤ等を介して駆動する補助動力電動モータ３３と、該補助動力電動モータ３３に電力を供給するシートポスト等に設置された補助動力電源３とから構成される。後輪ホークに添設されて後輪スポーク間に閂が進退自在に移動する錠装置２０が設置される。ハンドル部にはインジケータ１が設置されて、ＬＥＤにより各種制御状態や電池残量を表示したり、後述する実施例の開錠ボタン等が配設される。
【００２４】
図１（Ａ）は本発明の電動アシスト自転車の第１実施例を示す兄弟キータイプのブロック構成図である。本実施例のものは、正当な使用者である本人確認のための携帯キー１０ｎから常時または常時間欠的に送信されるＩＤｎ信号の受信下で錠装置２０における簡素な構造の開錠ボタンを操作することによって、開錠モータ２３を駆動して開錠する常時送信方式のものである。
錠装置２０では、前記本人認証信号であるＩＤｎ信号をアンテナ２１にて受信すると、制御回路２２が携帯キー１０ｎの所有者が正当な使用者であることを認識して、開錠モータ２３を駆動して閂（図２参照）を開錠すると同時に開錠センサ２４が開錠を検知し、電動アシストユニット３０にアシストユニット起動信号を送出する。本発明では、図１（Ｂ）に示すように、複数の異なった携帯キー１０Ａ、１０Ｂ・・１０ｎ毎に異なった正規の開錠信号（ＩＤ信号）ＩＤ１、ＩＤ２・・ＩＤｎが設定されるとともに、前記携帯キー１０ｎ毎の異なった開錠信号ＩＤ１、ＩＤ２・・ＩＤｎに応じて異なったアシストモード１、２・・ｎが設定され、これらの異なった開錠信号ＩＤ１、ＩＤ２・・ＩＤｎによって１つの錠装置２０が開錠できる制御回路２２、３２を設置した。
【００２５】
電動アシストユニット３０内の制御回路３２では、ハンドル部に設置されたインジケータ１に補助動力電源３の残量等をＬＥＤ２により表示することで、電動アシストユニット３０が起動されたことを知ることができる。また、制御回路３２では、選定された携帯キー１０ｎからの正規の開錠信号ＩＤｎにより制御回路２２にて発信されたアシストユニット起動信号に基づいて特定のアシストモードｎによる駆動信号が補助動力駆動モータ３３に送出される。かくして、走行中の駆動トルクをトルクセンサ３１にて常時検出しつつ補助動力電動モータ３３を回転駆動させて補助動力を得て軽快に走行することができる。
【００２６】
図２は錠装置の全体断面図である。図１（Ｂ）に示すように、後輪ホークに添設されて後輪スポーク間に閂２８Ａが進退自在に移動可能に構成されている。閂２８Ａをリターンスプリング２８Ｂの復元力に抗して手指にて矢印方向に進出させることで、後輪スポーク間に位置させて車輪をロックさせる。このとき、支点２６Ａにて支持されたリンクレバー２６の一端部がスプリング２６Ｃにより反時計方向に付勢されていることにより、リンクレバー２６の爪部２６Ｂが閂２８Ａの第１係止孔２８Ｃを脱した後に、第２係止孔２８Ｄに係止して閂２８Ａを施錠位置に保持する。
【００２７】
前述したように、錠装置２０にて前記本人認証信号であるＩＤ信号を受信すると、制御回路２２（図２では図示省略）が携帯キー１０の所有者が正当な使用者であることを認識して、電池２９からの電力を得て開錠モータ２３を駆動する。なお、開錠モータの電力は電動アシスト自転車の補助動力電源３から供給されるように構成してもよい。これにより、ウォーム２３Ａが回動し、減速装置を構成する第１ピニオンギヤ２５Ａ、第２ピニオンギヤ２５Ｂを回動させ、第２ピニオンギヤ２５Ｂに固定されたカム２５Ｃを回動させる。これにより、カム２５Ｃが前記リンクレバー２６の他端部を時計方向に揺動させる。すると、リンクレバー２６の爪部２６Ｂが閂２８Ａの第２係止孔２８Ｄから離脱し、リターンスプリング２８Ｂの復元力により閂２８Ａが開錠位置に復帰する（図２の状態）。そのとき、リミットスイッチである開錠センサ２４は、錠装置２０の開錠を検知し、制御回路２２は電動アシストユニット３０にアシストユニット起動信号を送出する。なお、符号２７にて示したものは、非常時にリンクレバー２６を開錠位置に強制揺動させるエマージェンシーキーシリンダである。
【００２８】
図３は本発明の電動アシスト自転車の第１実施例を示す兄弟キータイプの制御フロー図である。本実施例のものは、図１（Ｂ）に示したように、例えば家族や事務所等の事業単位毎に複数の正当な認証ＩＤ１、ＩＤ２・・ＩＤｎをそれぞれ発信できる複数の兄弟キーである携帯キー１０Ａ、１０Ｂ・・１０ｎを準備するものである。本実施例の制御回路では、複数のＩＤ１、ＩＤ２・・ＩＤｎが正当な使用者の認証ＩＤとして機能する。ステップＳ１で錠装置２０の開錠ボタン２０Ａが操作されて、ステップＳ２にてＩＤ信号の受信が開始される。ステップＳ３にてＩＤの受信が確認されるとステップＳ５にて開錠モータ２３が駆動する。ステップＳ６にて開錠が完了すると、ステップＳ７にて認証ＩＤ１に応じたアシストモード１の起動信号が発信される。つまり、ステップＳ２の受信後に受信したＩＤ信号に応じ、ＩＤ１、ＩＤ２・・ＩＤｎ毎にステップＳ３、Ｓ２３・・Ｓｎ３へそれぞれ進む。もし、ステップＳ３、Ｓ２３・・Ｓｎ３のＩＤ信号判別にてＩＤが一致せずに所定時間が経過する（ステップＳ４）と、制御が終了して電動アシストユニット３０が起動することはない。各認証ＩＤ１、ＩＤ２・・ＩＤｎに応じたアシストモード１、２・・ｎとは、乗り味とも言うべきもので、アシスト率等として複数の異なったモードが設定される。
【００２９】
図３の下段は、認証ＩＤ１、ＩＤ２・・ＩＤｎのうちで設定されたアシストモード起動信号によって、どのアシストモードが設定されるかの制御フローである。ステップＳ７で設定されたアシストモードをステップＳ８にて確認を行い、ＩＤ信号に応じたアシストモードをステップＳ９にて起動する。さらに、ステップＳ１０にてインジケータ１が起動する。ここで設定されたアシストモードがインジケータ１に表示されるようにしてもよい。走行が開始されてステップＳ１１において駆動トルクが検知されると、ステップＳ１２にて自動停止時間（タイマー）がリセットされる。駆動トルクが消失してステップＳ１３にて所定時間が経過したことが認識されると、ステップＳ１４において電動アシストユニット３０が自動停止し、ステップＳ１５にてインジケータが１が停止する。これにより、電動アシストユニット３０の停止忘れによる電力の浪費が防止されて節電がなされる。
【実施例２】
【００３０】
図４（Ａ）は本発明の電動アシスト自転車の第２実施例を示す兄弟キータイプのブロック構成図である。本実施例のものは、正当な使用者である本人確認のための携帯キー１０ｎに設置された送信ボタン１１の押下により発信されるＩＤ信号によって錠装置２０を開錠するリモコン形式のものである。本人が所持して携帯する携帯キー１０ｎは、常時は休眠状態にあって送信ボタン１１の押下時にだけ、制御回路１２にて処理されてアンテナ１３から特定の認証信号であるＩＤｎ信号を錠装置２０に発信する。錠装置２０がＩＤ信号を受信した後の構成は前記第１実施例と同様である（ＩＤｎ信号に対応したアシストモードｎの起動）。
【００３１】
図４（Ｂ）は第２実施例の携帯キー、錠装置における制御フロー図である。図３の第１実施例のフローと異なるのは、開錠ボタンが錠装置２０ではなく、携帯キーに送信ボタンとして設置されるので、図３におけるステップＳ１が錠装置から省かれた状態になっている（フローも図３と対照させて判りやすいようにＳ２から始めるものとする）。任意の時点で携帯キーから送信されるＩＤ信号を錠装置側では常時または常時間欠的に受信できる状態にある。電動アシストユニットでのフローは図３と同じであるので図示は省略する。第１実施例との主たる違いは、前記第１実施例では携帯キーからのＩＤ信号が常時送信されているのに対して、本第２実施例では携帯キーに設けられたボタン等を操作して乗員の任意の意思でＩＤ信号を送信するものである（携帯キーの操作を行ったときだけＩＤ信号が発信される）。
【実施例３】
【００３２】
図５は本発明の電動アシスト自転車の第３実施例を示すブロック構成図である。本実施例のものは前記第１実施例のものと同様の常時送信方式のものであるが、本実施例では、錠装置２０における開錠ボタン４を手指が届き易いハンドル部に設置したものである。その余の構成は前記第１実施例のものと同様である。
【実施例４】
【００３３】
図６は本発明の電動アシスト自転車の第４実施例を示す受信要求（動作）を伴う再スタート制御フローを含む兄弟キータイプの制御フロー図である。本実施例のものは受信要求を伴う制御として、複数のアシストモードが設定できるように構成したものである。つまり、複数の認証ＩＤ１、ＩＤ２・・ＩＤｎをそれぞれ有する兄弟キーを準備するとともに、各認証ＩＤ１、ＩＤ２・・ＩＤｎに応じたアシストモード１、２・・ｎを設定できるように構成するとともに、各アシストモード毎に駆動トルクを検知してＩＤ信号の受信要求を行い、常時認証ＩＤｎが正当であるかを確認できるものである。
【００３４】
まず駐輪の状態からのフローを説明する（なお、フローについてはＩＤ信号のＩＤ１について主に説明を行う）。乗員が保持する携帯キー１０のＩＤ信号が常時または常時間欠的に送信された状況下で、ステップＳ１にて乗員により錠装置２０の例えば簡素な構造の押しボタンの開錠ボタン２０Ａが操作されると、ステップＳ２にてＩＤ信号の受信を開始し、ステップＳ３にてＩＤが一致するとステップＳ５にて開錠モータ２３が駆動される（ステップＳ２の受信後に受信したＩＤ信号ＩＤ１、ＩＤ２・・ＩＤｎ毎にステップＳ３、Ｓ２３・・Ｓｎ３へそれぞれ進む）。もし、ステップＳ３（Ｓ２３・・Ｓｎ３）にてＩＤ信号が一致せずに所定時間が経過（ステップＳ４）すると、ステップＳ１０に移行して受信要求待ち状態となり電動アシストユニット３０が起動することはない。ステップＳ６にて開錠完了が確認されると、ステップＳ７にて受信したＩＤに応じたアシスト起動信号を送出する。
【００３５】
次に、電動アシストユニット３０のステップＳ８にて駐輪中のためのトルクがない状態が確認され、さらにステップＳ１０（受信したＩＤ信号によってはＳ２１０・・Ｓｎ１０）にて前記ステップＳ７で送出されたＩＤ信号に応じた起動信号を確認するとステップＳ１１にて電動アシストユニット３０がアシストモード１（受信したＩＤ信号によってアシストモード２・・ｎ）で起動され、ステップＳ１２にてインジケータ１が起動する。その後、走行が開始され、ステップＳ１３において駆動トルクが検出されると、ステップＳ１４にてＩＤ信号の受信要求時間であるかを判別し、受信要求時間であればステップＳ１５にて受信要求時間（タイマー）をリセットし、ステップＳ１６にて受信要求（受信動作）を行う。一方、ステップＳ１４にて受信要求時間でない場合は、ステップＳ１７にて起動信号の確認を行う。起動信号がない場合にはステップＳ１９にてユニット停止時間であるか判別し、ユニット停止時間でなければステップＳ１３へ戻る。  
【００３６】
前記ステップＳ１６にて受信要求を行った場合には、錠装置２０のステップＳ１０にて受信要求が確認され、ステップＳ２にて、携帯キー１０のＩＤ信号を受信し、Ｓ３、Ｓ５、Ｓ６、Ｓ７へと進み、起動信号を送出する。一方、電動アシストユニット３０ではステップＳ１６で受信要求を行った後、Ｓ１９、Ｓ１３、Ｓ１４、Ｓ１７へと進み、今度は起動信号を受信するので、ステップＳ１８へ進み自動停止時間をリセットする。その結果、トルクが検出され、かつ正規のＩＤ信号を受信できる状態であれば、電動アシストユニット３０は停止することなく走行を続けることができる。
【００３７】
一方、電動アシストユニット３０の自動停止のフローを説明すると、ステップＳ１３にてトルクが検出されない状態が継続し、ステップＳ１３とステップＳ１９のループを繰り返し、ユニット停止時間に達した後、ステップＳ１９からステップＳ２０へ進み、アシストユニットが自動停止し、ステップＳ２１にてインジケータ１が停止する。これにより、電力の浪費が防止されて節電がなされる。
【００３８】
次に、自動停止からの再スタートのフローを説明する。電動アシストユニット３０が自動停止した後はステップＳ８とステップＳ１０（Ｓ２１０・・Ｓｎ１０）のループを繰り返す。ステップＳ８にて再び駆動トルクが検知されると、ステップＳ９にて受信要求が錠装置２０になされる。錠装置２０にてＩＤ信号が一致してステップＳ７（Ｓ２７・・Ｓｎ７）にてアシスト起動信号が発信されると、ステップＳ１０（Ｓ２１０・・Ｓｎ１０）にてアシスト起動信号が確認され、ステップＳ１１（Ｓ２１１・・Ｓｎ１１）にて電動アシストユニット３０が再び起動する。
【００３９】
以上、本発明の実施例について説明してきたが、本発明の趣旨の範囲内で、異なった携帯キー毎の正規の開錠信号の数すなわち準備する携帯キーの数、異なった開錠信号に応じたアシストモードの設定数、異なった開錠信号によって１つの錠装置が開錠できる制御回路における制御形態、開錠信号の形態（特定周波数やパルス信号の組合せ等）、錠装置の形状、形式（実施例の円弧状の閂タイプに限らず直線状の閂タイプでもよい）、およびその設置部位（後輪に限らず前輪やクランク軸に作用する状装置でもよい）、電動アシストユニットの形状、形式、駆動トルク検出手段であるトルクセンサの形式、電動アシストユニットの起動時のインジケータの形式（電源の残量表示用ＬＥＤの本数点灯の他、単なる電源投入ランプの点灯等適宜選定できる）、常時送信方式の携帯キーの形式、開錠モータの形状、形式、アシストユニット起動信号の伝達方式（有線、無線）等については適宜選定できる。
【図面の簡単な説明】
【００４０】
【図１】本発明の電動アシスト自転車の第１実施例を示すもので、図１（Ａ）は電動アシスト自転車のブロック構成図、図１（Ｂ）は本発明の電動アシスト自転車の全体側面図である。
【図２】同、錠装置の全体断面図である。
【図３】同、本発明の電動アシスト自転車の制御フロー図である。
【図４】本発明の電動アシスト自転車の第２実施例を示すもので、図４（Ａ）はブロック構成図、図４（Ｂ）は制御フロー図である。
【図５】本発明の電動アシスト自転車の第３実施例を示すブロック構成図である。
【図６】本発明の電動アシスト自転車の第４実施例を示す受信要求を伴う再スタート制御フローを含む制御フロー図である。
【図７】第１従来例の補助動力付き車両の補助動力制御装置の説明図である。
【図８】第２従来例の電動モータ付き自転車の説明図である。
【図９】第３従来例の電動補助動力自転車の説明図である。
【図１０】第４従来例の電動二・三輪車の説明図である。
【図１１】第５従来例の電動アシスト自転車用電子錠および走行データ記録装置の説明図である。
【図１２】第６従来例の電動補助自転車用のロック装置の説明図である。
【符号の説明】
【００４１】
１      ハンドルスイッチ
２      ＬＥＤ
３      補助動力電源
１０Ａ    携帯キー
１０Ｂ    携帯キー
１０ｎ    携帯キー
１２      制御回路
１３      送信アンテナ
２０      錠装置
２１      受信アンテナ
２２      制御回路
２３      開錠モータ
２４      開錠センサ
３０      電動アシストユニット
３１      トルクセンサ
３２      制御回路
３３      補助動力モータ
【図１】
2008260400.tif 000003
【図２】
2008260400.tif 000004
【図３】
2008260400.tif 000005
【図４】
2008260400.tif 000006
【図５】
2008260400.tif 000007
【図６】
2008260400.tif 000008
【図７】
2008260400.tif 000009
【図８】
2008260400.tif 000010
【図９】
2008260400.tif 000011
【図１０】
2008260400.tif 000012
【図１１】
2008260400.tif 000013
【図１２】
2008260400.tif 000014